(57)【要約】【課題】紙葉類の帯封を行うときに、紙葉類の表裏や向きを揃えることと、揃えないこととを切り替え可能な紙葉類処理装置を提供する。【解決手段】紙葉類処理装置（紙幣処理装置１）は、識別部１８と、紙葉類を集積する集積部（第１〜第５集積部５１〜５５）と、紙葉類を帯封する帯封部７と、識別部と集積部との間に配設されかつ、識別部の識別結果に応じて紙葉類を選択的に反転することにより、紙葉類の表裏を揃える反転部（第１反転部２１、第２反転部２２）と、反転部が紙葉類の表裏を揃えて、帯封部が紙葉類を帯封する第１モードと、反転部が紙葉類の表裏を揃えずに、帯封部が紙葉類を帯封する第２モードとを切り替える制御部４１と、を備えている。【選択図】図２
2018190345.tif 000002
【特許請求の範囲】
【請求項１】
紙葉類の搬送路に設けられかつ、前記紙葉類の識別を行う識別部と、
前記紙葉類の搬送方向について前記識別部よりも下流に設けられかつ、前記識別部が識別を行った前記紙葉類を集積する集積部と、
前記集積部に集積した前記紙葉類を帯封する帯封部と、
前記紙葉類の搬送方向について前記識別部と前記集積部との間に配設されかつ、前記識別部の識別結果に応じて前記紙葉類を選択的に反転することにより、前記紙葉類の表裏を揃える反転部と、
前記反転部が前記紙葉類の表裏を揃えて、前記帯封部が前記紙葉類を帯封する第１モードと、前記反転部が前記紙葉類の表裏を揃えずに、前記帯封部が前記紙葉類を帯封する第２モードとを切り替える制御部と、を備えている紙葉類処理装置。
【請求項２】
紙葉類の搬送路に設けられかつ、前記紙葉類の識別を行う識別部と、
前記紙葉類の搬送方向について前記識別部よりも下流に設けられかつ、前記識別部が識別を行った前記紙葉類を集積する集積部と、
前記集積部に集積した前記紙葉類を帯封する帯封部と、
前記紙葉類の搬送方向について前記識別部と前記集積部との間に配設されかつ、前記識別部の識別結果に応じて前記紙葉類を選択的に反転することにより、前記紙葉類の表裏及び天地方向の向きを揃える反転部と、
前記反転部が前記紙葉類の表裏及び天地方向の向きの両方を揃えて、前記帯封部が前記紙葉類を帯封する第１モードと、前記反転部が前記紙葉類の、少なくとも天地方向の向きを揃えずに、前記帯封部が前記紙葉類を帯封する第２モードとを切り替える制御部と、を備えている紙葉類処理装置。
【請求項３】
前記反転部は、第１反転部と第２反転部との二種類の反転部を有し、
前記制御部は、
前記第１モードにおいては、前記第１反転部及び前記第２反転部の両方を用いて前記紙葉類の表裏及び天地方向の向きの両方を揃え、
前記第２モードにおいては、前記第１反転部及び前記第２反転部のいずれか一方を用いて前記紙葉類の表裏のみを揃えるモードと、前記第１反転部及び前記第２反転部の両方を用いずに前記紙葉類の表裏及び天地方向の向きの両方を揃えないモードと、を切り替える請求項２に記載の紙葉類処理装置。
【請求項４】
前記第１反転部は、前記紙葉類の搬送方向に直交する搬送幅方向の向きを変えずに表裏を反転し、前記第２反転部は、前記紙葉類の前記搬送幅方向の向きを反転し、
前記制御部は、前記第２モードの前記紙葉類の表裏のみを揃えるモードにおいては、前記第１反転部を用いて前記紙葉類の表裏のみを揃える請求項３に記載の紙葉類処理装置。
【請求項５】
前記制御部は、前記反転部が故障したときに、前記第２モードを実行する請求項１〜４のいずれか１項に記載の紙葉類処理装置。
【請求項６】
前記制御部は、前記第１モードと前記第２モードとのいずれか一方を選択する操作信号に応じて、前記第１モード又は前記第２モードを実行する請求項１〜５のいずれか１項に記載の紙葉類処理装置。
【請求項７】
前記制御部が実行しているモードが、前記第１モードであるか前記第２モードであるかを表示する表示部を備えている請求項１〜６のいずれか１項に記載の紙葉類処理装置。
【請求項８】
前記紙葉類を帯封する帯封紙に情報を印す印字部を備え、
前記印字部は、前記制御部が前記第１モードによって前記紙葉類を帯封したときの前記帯封紙への印字態様と、前記第２モードによって前記紙葉類を帯封したときの前記帯封紙への印字態様とを異ならせる請求項１〜７のいずれか１項に記載の紙葉類処理装置。
【発明の詳細な説明】
【技術分野】
【０００１】
ここに開示する技術は、紙葉類処理装置に関する。
【背景技術】
【０００２】
特許文献１には、紙幣を計数し、紙幣を所定枚数毎に結束して整理する紙幣整理機が記載されている。紙幣整理機は、紙幣の表裏を反転する表裏反転部を備えている。紙幣整理機は、紙幣の表裏を揃えた上で、所定枚数分の紙幣を、紙テープによって小束に施封する。
【先行技術文献】
【特許文献】
【０００３】
【特許文献１】特開２０１６−２２４８４５号公報
【発明の概要】
【発明が解決しようとする課題】
【０００４】
従来の、帯封紙葉類を作成する紙葉類処理装置は、紙葉類の表裏を揃えて帯封することしかできない。しかしながら、紙葉類の表裏や向きを揃えずに帯封をしたいというニーズもある。
【０００５】
ここに開示する技術はかかる点に鑑みてなされたものであり、その目的とするところは、紙葉類の帯封を行うときに、紙葉類の表裏や向きを揃えることと、揃えないこととを切り替え可能な紙葉類処理装置を提供することにある。
【課題を解決するための手段】
【０００６】
具体的に、ここに開示する技術は紙葉類処理装置に係る。この紙葉類処理装置は、紙葉類の搬送路に設けられかつ、前記紙葉類の識別を行う識別部と、前記紙葉類の搬送方向について前記識別部よりも下流に設けられかつ、前記識別部が識別を行った前記紙葉類を集積する集積部と、前記集積部に集積した前記紙葉類を帯封する帯封部と、前記紙葉類の搬送方向について前記識別部と前記集積部との間に配設されかつ、前記識別部の識別結果に応じて前記紙葉類を選択的に反転することにより、前記紙葉類の表裏を揃える反転部と、前記反転部が前記紙葉類の表裏を揃えて、前記帯封部が前記紙葉類を帯封する第１モードと、前記反転部が前記紙葉類の表裏を揃えずに、前記帯封部が前記紙葉類を帯封する第２モードと、を切り替える制御部と、を備えている。
【０００７】
この構成によると、識別部は、紙葉類の識別を行う。識別部は、紙葉類の種類等の識別を行う他に、搬送路に沿って搬送される紙葉類の表裏を識別する。反転部は、識別部の識別結果に応じて紙葉類を選択的に反転することにより、紙葉類の表裏を揃える。
【０００８】
制御部は、第１モードと第２モードとを切り替える。第１モードにおいては、反転部が、紙葉類を選択的に反転することにより紙葉類の表裏を揃えて、帯封部が紙葉類を帯封する。第２モードにおいては、反転部が紙葉類の表裏を揃えずに、帯封部が紙葉類を帯封する。第２モードは、例えば紙葉類の反転を行わない。紙葉類処理装置が、第１モード及び第２モードを有しているため、帯封する紙葉類の表裏を揃えることと、揃えないこととを切り替えることが可能になる。
【０００９】
ここに開示する紙葉類処理装置は、紙葉類の搬送路に設けられかつ、前記紙葉類の識別を行う識別部と、前記紙葉類の搬送方向について前記識別部よりも下流に設けられかつ、前記識別部が識別を行った前記紙葉類を集積する集積部と、前記集積部に集積した前記紙葉類を帯封する帯封部と、前記紙葉類の搬送方向について前記識別部と前記集積部との間に配設されかつ、前記識別部の識別結果に応じて前記紙葉類を選択的に反転することにより、前記紙葉類の表裏及び天地方向の向きを揃える反転部と、前記反転部が前記紙葉類の表裏及び天地方向の向きの両方を揃えて、前記帯封部が前記紙葉類を帯封する第１モードと、前記反転部が前記紙葉類の、少なくとも天地方向の向きを揃えずに、前記帯封部が前記紙葉類を帯封する第２モードとを切り替える制御部と、を備えている。
【００１０】
この構成によると、識別部は、紙葉類の識別を行う。識別部は、紙葉類の種類等の識別を行う他に、搬送路に沿って搬送される紙葉類の方向を識別する。
【００１１】
反転部は、識別部の識別結果に応じて紙葉類を選択的に反転することにより、紙葉類の表裏及び天地方向の向きを揃える。
【００１２】
制御部は、第１モードと第２モードとを切り替える。第１モードにおいては、反転部が、紙葉類を選択的に反転することにより紙葉類の表裏及び天地方向の向きの両方を揃えて、帯封部が紙葉類を帯封する。第２モードにおいては、反転部が紙葉類の、少なくとも天地方向の向きを揃えずに、帯封部が紙葉類を帯封する。帯封する紙葉類の表裏及び天地方向の向きの両方を揃えることと、表裏及び天地方向の向きの両方を揃えないこととを切り替えることが可能になる。
【００１３】
前記反転部は、第１反転部と第２反転部との二種類の反転部を有し、前記制御部は、前記第１モードにおいては、前記第１反転部及び前記第２反転部の両方を用いて前記紙葉類の表裏及び天地方向の向きの両方を揃え、前記第２モードにおいては、前記第１反転部及び前記第２反転部のいずれか一方を用いて前記紙葉類の表裏のみを揃えるモードと、前記第１反転部及び前記第２反転部の両方を用いずに前記紙葉類の表裏及び天地方向の向きの両方を揃えないモードと、を切り替える、としてもよい。
【００１４】
二種類の反転部を用い、識別部が識別をした紙葉類の方向に応じて、選択的に、紙葉類を反転することによって、紙葉類の表裏及び天地方向の向きの両方を揃えることができる。また、第１反転部及び第２反転部のいずれか一方を用い、識別部が識別をした紙葉類の方向に応じて、紙葉類を選択的に反転することによって、紙葉類の表裏のみを揃えることができる。第１反転部及び第２反転部のいずれも用いないと（つまり、紙葉類の反転を行わない）、紙葉類の表裏も天地方向の向きも揃わない。従って、この紙葉類処理装置は、紙葉類の表裏及び天地方向の向きの両方を揃える、紙葉類の表裏のみを揃える、紙葉類の表裏及び天地方向の向きのいずれも揃えない、の三つのモードを切り替え可能である。
【００１５】
前記第１反転部は、前記紙葉類の搬送方向に直交する搬送幅方向の向きを変えずに表裏を反転し、前記第２反転部は、前記紙葉類の前記搬送幅方向の向きを反転し、前記制御部は、前記第２モードの前記紙葉類の表裏のみを揃えるモードにおいては、前記第１反転部を用いて前記紙葉類の表裏のみを揃える、としてもよい。
【００１６】
ここで、第１反転部は、紙葉類の搬送方向の前端と後端とが入れ替わるように、紙葉類の表裏を反転する、いわゆるスイッチバック方式の反転部としてもよい。スイッチバック方式の反転部は、紙葉類の搬送方向に直交すると共に、紙葉類の紙面に沿った第１軸回りに、紙葉類を回転させる方式ということができる。スイッチバック方式の第１反転部は、紙葉類の搬送方向に直交する搬送幅方向の向きを変えずに、紙葉類の表裏と搬送方向の向きとの両方を反転することができる。
【００１７】
第２反転部は、例えば紙葉類の搬送方向に沿って伸びる第２軸回りに、紙葉類を回転させる方式としてもよい。この方式の第２反転部は、搬送幅方向の向きと、表裏との両方を反転することができる。第２反転部はまた、例えば紙葉類の搬送方向に直交すると共に、紙葉類の紙面に直交する第３軸回りに、紙葉類を回転させる方式としてもよい。この方式の第２反転部は、搬送幅方向の向きと、搬送方向の向きとが反転する（つまり、紙葉類の表裏は反転しない）。
【００１８】
それぞれ機能が異なる第１反転部及び第２反転部が、紙葉類の方向に応じて選択的に、紙葉類を反転することによって、帯封する紙葉類の表裏及び天地方向の向きの両方を揃えることができる。
【００１９】
ここで、紙葉類の搬送幅方向の向きを反転する第２反転部は、第１反転部と比較して、紙葉類を反転する際に、紙葉類に与える負荷が大きくなる。第２モードの紙葉類の表裏のみを揃えるモードにおいては、第１反転部を用いて紙葉類の表裏のみを揃えることにより、紙葉類に負荷が与えられることを抑制することができる。
【００２０】
前記制御部は、前記反転部が故障したときに、前記第２モードを実行する、としてもよい。
【００２１】
紙葉類の表裏を揃えた上で帯封を行うよう構成された従来の紙葉類処理装置においては、反転部が故障すると、紙葉類の帯封処理を行うことができなかった。これに対し、前記の紙葉類処理装置は、反転部が故障したときでも、第２モードによって紙葉類を帯封することができる。紙葉類処理装置の利便性が向上する。
【００２２】
前記制御部は、前記第１モードと前記第２モードとのいずれか一方を選択する操作信号に応じて、前記第１モード又は前記第２モードを実行する、としてもよい。
【００２３】
こうすることで、操作者が任意に、紙葉類の向き等を揃えることと、揃えないこととを選択することができる。第２モードは、紙葉類の表裏を揃えない、又は、紙葉類の表裏及び天地方向の向きの両方を揃えないため、第２モードを選択すると、紙葉類に負荷が与えられることを抑制することができる。
【００２４】
前記紙葉類処理装置は、前記制御部が実行しているモードが、前記第１モードであるか前記第２モードであるかを表示する表示部を備えている、としてもよい。
【００２５】
こうすることで、操作者は、表示部の表示を見ることによって、紙葉類処理装置が紙葉類の帯封処理を行っている最中に、帯封した紙葉類の向き等が揃っているか、揃っていないかを知ることができる。
【００２６】
前記紙葉類処理装置は、前記紙葉類を帯封する帯封紙に情報を印す印字部を備え、前記印字部は、前記制御部が前記第１モードによって前記紙葉類を帯封したときの前記帯封紙への印字態様と、前記第２モードによって前記紙葉類を帯封したときの前記帯封紙への印字態様とを異ならせる、としてもよい。
【００２７】
こうすることで、操作者は、帯封されている紙葉類の帯封紙を見ると、紙葉類の方向が揃っているか、揃っていないかがわかる。
【発明の効果】
【００２８】
以上説明したように、前記の紙葉類処理装置によると、紙葉類の表裏や向きを揃えて帯封することと、揃えないで帯封することとを切り替えることができる。
【図面の簡単な説明】
【００２９】
【図１】図１は、紙幣処理装置の外観を例示する斜視図である。
【図２】図２は、紙幣処理装置の内部構成を例示する図である。
【図３】図３は、第１反転部及び第２反転部の構成を拡大して示す図である。
【図４】図４は、紙幣の天地方向及び左右方向を説明するための図である。
【図５】図５は、紙幣処理装置の内部における紙幣の搬送経路を示す図２対応図である。
【図６】図６は、紙幣処理装置における分類パターンの一例を説明する図である。
【図７】図７は、紙幣処理装置が実行する分類処理のフローチャートである。
【図８】図８は、紙幣の表裏、及び、天地方向の揃えの要否を設定する画面を例示する図である。
【図９】図９は、紙幣処理装置の分類処理中に表示される画面を例示する図である。
【図１０】図１０は、四方向揃えモード時における反転処理の手順を例示するフローチャートである、
【図１１】図１１は、表裏揃えモード時における反転処理の手順を例示するフローチャートである、
【図１２】図１２は、非揃えモード時における反転処理の手順を例示するフローチャートである、
【図１３】図１３は、四方向揃えモード時と、表裏揃えモード時における帯封紙の印字内容の相違を説明する図である。
【図１４】図１４は、四方向揃えモード時と、表裏揃えモード時における帯封紙の印字内容の、図１３とは異なる例を示す図である。
【図１５】図１５は、第２反転部が故障したときに表示される操作画面の一例を示す図である。
【図１６】図１６は、帯封紙幣の搬送エラーが発生したときに表示される操作画面の一例を示す図である。
【図１７】図１７は、図２とは異なる構成の、紙幣処理装置の内部構成を示す図である。
【図１８】図１８は、図１７の紙幣処理装置が実行する分類処理のフローチャートである。
【図１９】図１９は、四方向揃えモード及び表裏揃えモード時における反転処理の手順を例示するフローチャートである、
【図２０】図２０は、非揃えモード時における反転処理の手順を例示するフローチャートである、
【図２１】図２１は、長手の縁を前にして搬送される紙幣の、反転方向を説明するための図である。
【図２２】図２２は、短手の縁を前にして搬送される紙幣の、反転方向を説明するための図である。
【発明を実施するための形態】
【００３０】
以下、紙葉類処理装置の実施形態を図面に基づいて詳細に説明する。以下の説明は、紙葉類処理装置の一例である。図１は、紙葉類処理装置としての紙幣処理装置１の外観を示している。図２は、紙幣処理装置１の内部の構成を示している。紙幣処理装置１は、紙幣を識別及び計数し、種類別に分類をした上で、所定枚数毎の帯封紙幣を作成する装置である。紙幣処理装置１は、紙幣整理機とも呼ばれる。尚、以下の説明においては、便宜上、図１における紙面左手前を前、紙面右奥を後と呼ぶ場合がある。これに従うと、「前」は、図２における紙面左、「後」は、図２における紙面右である。
【００３１】
（紙幣処理装置の構成）
紙幣処理装置１には、帯封対象外の紙幣を集積する第１外部集積部１１及び第２外部集積部１２と、バラ紙幣が投入される投入部１３、リジェクト券を集積するリジェクト部１４、帯封された紙幣を出金するための投出部１５、及び、後述する端数紙幣を返却する返却部１６がそれぞれ設けられている。
【００３２】
投入部１３は、筐体１０の前面の上部に設けられている。投入部１３の前面は筐体１０の外部に開口している。操作者は投入部１３の内部にバラ紙幣を投入することができる。投入部１３は、複数枚の紙幣を、集積した状態で保持することができる。投入部１３には、例えば、様々な金種を含む紙幣が投入される。投入部１３は、保持している紙幣を、繰り出しローラ１３１によって一枚一枚、筐体１０の内部へ繰り出す。
【００３３】
第１外部集積部１１及び第２外部集積部１２は、紙幣処理装置１の筐体１０の上部に、前後に並んで設けられている。第１外部集積部１１は、第２外部集積部１２よりも後側に配設されている。第１外部集積部１１及び第２外部集積部１２はそれぞれ、紙幣の取出口が筐体１０の外部に開口している。第１外部集積部１１及び第２外部集積部１２はそれぞれ、複数枚の紙幣を集積することができる。操作者は、第１外部集積部１１及び第２外部集積部１２に集積されている紙幣を、手で取り出すことができる。
【００３４】
リジェクト部１４は  筐体１０の前面において、投入部１３の下側に設けられている。リジェクト部１４の前面は筐体１０の外部に開口している。リジェクト部１４は、複数枚の紙幣を集積することができる。操作者は、リジェクト部１４に集積されている紙幣を、手で取り出すことができる。
【００３５】
投出部１５は、筐体１０の前面の下部に開口している。帯封紙幣は、投出部１５のスロープを通って筐体１０の外に投出される。投出部１５から投出された帯封紙幣は、予め置かれた容器等に入る。
【００３６】
返却部１６は、筐体１０の上部に設けられている。返却部１６は、紙幣が載るトレイ１６１を有している。トレイ１６１は、図２に実線及び一点鎖線で示すように、前後方向に移動する。紙幣を載せたトレイ１６１が、一点鎖線に示すように前進すると、操作者は、トレイ１６１から紙幣を、手で取り出すことができる。
【００３７】
紙幣処理装置１の上部には、表示部１７が設けられている。表示部１７は、返却部１６の上側に配設されている。表示部１７は、タッチパネルからなる。表示部１７は、操作者が操作を行うための操作部を兼用する。表示部１７は、紙幣処理装置１が行っている紙幣の処理状況等の情報を表示する。操作者が表示部１７に表示されている画面に応じて操作を行うことにより、紙幣処理装置１に関する各種の設定を行ったり、紙幣処理装置１に各種の処理を実行させたりすることができる。
【００３８】
図２に示すように、紙幣処理装置１は、筐体１０の内部に、識別部１８、第１反転部２１、第２反転部２２、搬送部３、第１〜第５集積部５１〜５５、運搬部６、帯封部７、制御部４１、及び記憶部４２を備えている。
【００３９】
搬送部３は、紙幣の搬送方向の順に、投入部１３から、識別部１８、第１反転部２１、リジェクト部１４、第２反転部２２、第１〜第５集積部５１〜５５、第１外部集積部１１及び第２外部集積部１２までの間において、バラ紙幣の搬送を行う。搬送部３は、筐体１０の内部に配設された搬送路を有している。搬送路は、詳細な図示は省略するが、多数のローラ、複数のベルト、これらを駆動するモータ、搬送される紙幣を検出する通過センサ及び複数のガイドの組み合わせによって構成されている。搬送部３は、所定の間隔を設けて、紙幣を一枚一枚、搬送路に沿って搬送する。搬送部３はまた、図２１に示すように、紙幣ＢＮの長手の縁を前にして、紙幣ＢＮを搬送する。
【００４０】
識別部１８は、紙幣ＢＮの搬送方向について、投入部１３の下流に設けられている。より詳細に、投入部１３の後側には、紙幣ＢＮを水平方向に搬送する搬送路が設けられており、識別部１８は、当該搬送路に配設されている。識別部１８は、筐体１０の内部において、投入部１３の後側でかつ、第１外部集積部１１及び第２外部集積部１２の下側に位置している。識別部１８は、搬送路に沿って搬送される紙幣ＢＮの金種、真偽、表裏、向き、正損、新旧、搬送状態等を識別する。
【００４１】
ここで、識別部１８が識別を行う紙幣ＢＮの方向について説明をする。紙幣ＢＮの方向は、紙幣ＢＮの表裏と向きとの組み合わせによって、Ａ方向、Ｂ方向、Ｃ方向及びＤ方向の四つの方向に定まる。紙幣ＢＮの天地方向は、図４に示すように、紙幣ＢＮに描かれた肖像画を基準とした上下の方向である。紙幣ＢＮの左右方向は、天地方向に直交する方向である。図２１に示すように、長手の縁を前にして搬送される紙幣ＢＮにおいて、天地方向は、搬送方向に一致する。左右方向は、搬送方向に直交する。尚、以下の説明において、搬送方向に直交する方向を、搬送幅方向と呼ぶ場合がある。
【００４２】
具体的に、Ａ方向は、紙幣ＢＮが表向きでかつ、搬送方向に対して紙幣ＢＮの天地方向が従う方向である。Ｂ方向は、紙幣ＢＮが表向きでかつ、搬送方向に対して紙幣ＢＮの天地方向が逆らう方向である。Ｃ方向は、紙幣ＢＮが裏向きでかつ、搬送方向に対して紙幣ＢＮの天地方向が逆らう方向である。Ｄ方向は、紙幣ＢＮが裏向きでかつ、搬送方向に対して紙幣ＢＮの天地方向が従う方向である。
【００４３】
第１反転部２１は、識別部１８の識別結果に応じて、紙幣ＢＮの表裏及び天地方向の両方を、選択的に反転するよう構成されている。第１反転部２１は、図３に拡大して示すように、紙幣ＢＮの表裏及び天地方向を反転させるスイッチバック方式の反転パス２１１と、紙幣ＢＮの表裏及び天地方向を反転することなく通過させるバイパス２１２と、紙幣ＢＮを、反転パス２１１又はバイパス２１２に選択的に送る分岐爪２１３と、を有している。
【００４４】
反転パス２１１を通過した紙幣は、図２１に示す紙幣ＢＮの搬送方向に直交すると共に、紙幣ＢＮの紙面に沿った第１軸回りに回転することになる。第１反転部２１は、搬送幅方向の向きを変えずに、紙幣ＢＮの表裏と搬送方向の向き（つまり、天地方向の向き）との両方を反転することができる。
【００４５】
制御部４１は、識別部１８の識別結果に応じて第１反転部２１の分岐爪２１３を動かす。このことによって、表裏及び天地方向の向きを反転する必要がある紙幣ＢＮは、反転パス２１１を通過し、表裏及び天地方向の向きを反転する必要がない紙幣ＢＮは、バイパス２１２を通過する。反転パス２１１を通過した紙幣ＢＮは、表裏及び天地方向の向きが反転する。バイパス２１２を通過した紙幣ＢＮは、表裏も天地方向の向きも反転しない。第１反転部２１を通過した紙幣ＢＮは、少なくとも表裏が揃っている。
【００４６】
第１反転部２１は、図２に示すように、識別部１８の下側に配設されている。紙幣ＢＮは、第１反転部２１を、紙幣処理装置１の後方から前方に向かう略水平方向に通過する。第１反転部２１の前側には、リジェクト部１４が配設されている。リジェクト部１４につながる搬送路１４１は、紙幣ＢＮの搬送方向について第１反転部２１の下流から分岐している。第１反転部２１は、図３に示すように、紙幣ＢＮを、バイパス２１２又はリジェクト部１４に選択的に送る分岐爪２１４を有している。制御部４１は、識別部１８の識別結果に応じて、分岐爪２１４を動かす。このことによって、リジェクト券と識別された紙幣ＢＮは、実質的には第１反転部２１を通らないで、リジェクト部１４に搬送される。
【００４７】
第２反転部２２は、紙幣ＢＮの搬送幅方向の向きを、選択的に反転するよう構成されている。第２反転部２２は、図３に拡大して示すように、紙幣ＢＮの搬送幅方向の向きを反転させる反転パス２２１と、紙幣ＢＮの搬送幅方向の向きを反転することなく通過させるバイパス２２２と、紙幣ＢＮを、反転パス２２１又はバイパス２２２に選択的に送る分岐爪２２３と、を有している。反転パス２２１には、紙幣ＢＮを反転する反転機構２２４が配設されている。反転機構２２４は、この構成例では、紙幣ＢＮの搬送幅方向の向きと表裏との両方を反転するよう構成されている。つまり、図２１に示すように、反転機構２２４は、紙幣ＢＮの搬送方向に沿って伸びる第２軸回りに、紙幣ＢＮを回転させる方式に構成されている。反転機構２２４は、紙幣ＢＮの搬送方向に直交する搬送幅方向（つまり、紙幣ＢＮの左右方向）の向きと、紙幣ＢＮの表裏との両方を反転することができる。第２反転部２２は、スイッチバック方式の第１反転部２１とは機能が相違する。反転機構２２４の構成の詳細は省略するが、反転機構２２４は、様々な公知の構成を採用することができる。
【００４８】
制御部４１は、識別部１８の識別結果に応じて、分岐爪２２３を動かす。このことによって、左右方向の向きを反転する必要がある紙幣ＢＮは、反転パス２２１を通過し、左右方向の向きを反転する必要がない紙幣ＢＮは、バイパス２２２を通過する。反転パス２２１を通過した紙幣は、紙幣ＢＮの左右方向の向き及び表裏が反転する。バイパス２２２を通過した紙幣は、紙幣ＢＮの左右方向の向きも、表裏も反転しない。反転機構２２４の下流において、反転パス２２１とバイパス２２２とは合流する。この紙幣処理装置１は、反転部として、第１反転部２１と第２反転部２２との二種類の反転部を備えることにより、第１反転部２１及び第２反転部２２を通過した紙幣ＢＮの表裏及び天地方向の向きの両方を揃えることができる。
【００４９】
第２反転部２２は、第１反転部２１及びリジェクト部１４の下側に配設されている。従って、識別部１８、第１反転部２１及び第２反転部２２は、上下方向に並んでいる。紙幣ＢＮは、第２反転部２２を、紙幣処理装置１の前方から後方に向かう略水平方向に通過する。紙幣ＢＮは、識別部１８から、第１反転部２１を通って第２反転部２２に至るまでの間において、紙幣処理装置１の前後方向に蛇行するように搬送される。
【００５０】
第２反転部２２は、構造が複雑になるため、第１反転部２１と比較して、紙幣ＢＮの搬送方向の長さが長くなる。紙幣ＢＮが水平方向に搬送されるように第２反転部２２を設けることによって、紙幣処理装置１を高さ方向に小型化することができる。
【００５１】
また、第１反転部２１と第２反転部２２とのそれぞれにおいて紙幣ＢＮは水平方向に紙幣が搬送されるが、これら第１反転部２１及び第２反転部２２を上下方向に並べて配設することによって、第１反転部２１の前側にリジェクト部１４を配置することができる。紙幣処理装置１の内部のスペース効率が向上する結果、紙幣処理装置１の小型化に有利になる。
【００５２】
第２反転部２２はまた、ユニット化している。第２反転部２２のユニットは、図２に一点鎖線で示すように、紙幣処理装置１の前方に向かって引き出し可能に構成されている。操作者は、手で第２反転部２２のユニットを、筐体１０の前方に引き出すことができる。第２反転部２２において紙幣ＢＮの詰まり等が生じたときに、操作者は、第２反転部２２を前方に引き出して、詰まっている紙幣ＢＮを、第２反転部２２から容易に取り出すことができる。このときに、紙幣処理装置１は、表示部１７に、第２反転部２２のユニットの引き出しを操作者に指示する誘導画面を表示する。紙幣処理装置１のメンテナンス性が向上する。
【００５３】
第２反転部２２のユニットの引き出しに関し、紙幣処理装置１にロック機構を設けてもよい。第２反転部２２において紙幣ＢＮの詰まりが発生し、紙幣処理装置１を停止したときにロックを解除することによって、第２反転部２２のユニットを、引き出すことができるようにしてもよい。尚、ロック機構は、機械式のロック機構としてもよいし、ソレノイドを含む電気式のロック機構としてもよい。
【００５４】
前述したように、第２反転部２２において、紙幣ＢＮは水平方向に搬送されるよう構成されているため、前方に向かって引き出される第２反転部２２のユニットは、上下方向にコンパクトになる。第２反転部２２を前方に向かって引き出しやすくなると共に、詰まっている紙幣ＢＮも取り出しやすくなる。このこともまた、紙幣処理装置１のメンテナンス性の向上に有利になる。
【００５５】
第１〜第５集積部５１〜５５は、識別部１８、第１反転部２１及び第２反転部２２の後側に配設されている。第１〜第５集積部５１〜５５は、上下方向に並んで配設されている。第１〜第５集積部５１〜５５は、帯封対象の紙幣ＢＮを、例えば金種毎に集積する。後述するように、操作者は、第１〜第５集積部５１〜５５に集積する紙幣の種類を、予め設定することができる。
【００５６】
第２反転部２２の下流において紙幣ＢＮを搬送する搬送路は、第１〜第５集積部５１〜５５の前側でかつ、識別部１８、第１反転部２１及び第２反転部２２の後側において、第１〜第５集積部５１〜５５に沿うように上下方向に伸びて配設されている。上下方向に伸びる搬送路から分岐した五つの分岐路が、第１〜第５集積部５１〜５５のそれぞれに接続されている。紙幣ＢＮは、第１〜第５集積部５１〜５５のそれぞれに対し、前側から投入される。投入された紙幣ＢＮは、第１〜第５集積部５１〜５５のそれぞれにおいて集積される。
【００５７】
図示は省略するが、各分岐路の分岐箇所には、紙幣ＢＮの搬送方向を切り替える分岐爪が設けられている。制御部４１は、識別部１８の識別結果に応じて、各分岐爪を動かす。このことによって、紙幣ＢＮは、第１〜第５集積部５１〜５５に、選択的に投入される。
【００５８】
上下方向に伸びる搬送路の下流側は、途中で二つに分岐して、第１外部集積部１１及び第２外部集積部１２のそれぞれに接続されている。第１外部集積部１１及び第２外部集積部１２は、第２反転部２２の下流につながっている。分岐箇所には、図示は省略するが、分岐爪が配設されている。制御部４１は、識別部１８の識別結果に応じて、分岐爪を動かすことにより、紙幣ＢＮは、第１外部集積部１１及び第２外部集積部１２に、選択的に投入される。
【００５９】
運搬部６は、上下方向に並んだ第１〜第５集積部５１〜５５の後側に配設されている。運搬部６は、紙幣を掴むアーム部６１と、アーム部６１を上下方向に往復移動させるガイド部６２とを備えている。ガイド部６２は、上下方向に伸びている。アーム部６１は、ガイド部６２に沿って上下方向に移動をする。アーム部６１は、第１〜第５集積部５１〜５５それぞれの高さ位置に位置づけられ、第１〜第５集積部５１〜５５に集積されている紙幣を、後方に向かって取り出す。そして、アーム部６１は、返却部１６あるいは帯封部７の後方へ移動し、掴んでいる紙幣を返却部１６あるいは帯封部７へ受け渡す。
【００６０】
帯封部７は、第２反転部２２の下側に配設されている。帯封部７は、運搬部６の下端部に位置している。運搬部６は、第１〜第５集積部５１〜５５から取り出した紙幣ＢＮを、帯封部７に運搬する。帯封部７の構成の詳細な図示は省略するが、帯封部７は、公知の様々な構成を採用することができる。帯封部７は、例えば紙幣ＢＮの束の外周囲に帯封紙を巻き付けることによって帯封を行うようにしてもよい。帯封部７はまた、帯封紙によって形成した輪の中に紙幣ＢＮの束を挿入することによって帯封を行うようにしてもよい。
【００６１】
帯封部７は、帯封紙に情報を印す印字部を有している。印字部は、帯封紙に印刷を行う印刷部７１、及び、帯封紙にスタンプを押す押印部７３の両方を含んでいる。印刷部７１は、帯封をする前に帯封紙に印刷を行う。印刷部７１は、帯封紙が巻かれたリールから帯封部７までの間の帯封紙の搬送経路の途中に配設されている。押印部７３は、帯封をした後に、帯封紙にスタンプを押す。押印部７３は、帯封部７から投出部１５までの間の第２運搬部７２の途中に配設されている。印刷部７１は、帯封を行った日時の情報や、帯封処理を行った操作者を特定する情報等を、帯封紙に印刷する。また、押印部７３は、例えば帯封紙幣を作成した金融機関名の情報、及び、帯封紙幣が損券である旨の情報を、帯封紙に印す。さらに詳細は後述するが、印字部は、制御部４１からの制御信号に基づいて、帯封した紙幣ＢＮの表裏及び天地方向の向きが揃っているか否かの情報を、帯封紙に印すように構成されている。
【００６２】
帯封部７の前側には、ベルト式の第２運搬部７２が設けられている。第２運搬部７２は、帯封部７が帯封をした帯封紙幣を、前方に向かって投出部１５まで搬送する。帯封紙幣は、投出部１５のスロープを通って筐体１０の外に投出される。
【００６３】
後述するように紙幣処理装置１が分類処理を行った際、帯封枚数に至らずに第１〜第５集積部５１〜５５に紙幣ＢＮが残ってしまう場合がある。運搬部６は、第１〜第５集積部５１〜５５に残った端数紙幣を返却部１６へ運搬する。
【００６４】
制御部４１は、図示は省略するが、第１外部集積部１１、第２外部集積部１２、投入部１３、リジェクト部１４、返却部１６、識別部１８、第１反転部２１、第２反転部２２、搬送部３、第１〜第５集積部５１〜５５、運搬部６、及び、帯封部７が、信号の授受可能に接続されている。記憶部４２には、各種の情報やプログラムが記憶されている。制御部４１は、前述した第１外部集積部１１、第２外部集積部１２、投入部１３、リジェクト部１４、返却部１６、識別部１８、第１反転部２１、第２反転部２２、搬送部３、第１〜第５集積部５１〜５５、運搬部６、及び、帯封部７に、記憶部４２が記憶している各種の情報やプログラムに基づいて制御信号を出力する。このことにより、紙幣処理装置１は、紙幣ＢＮを識別及び計数し、種類別に分類をした上で、所定枚数毎の帯封紙幣を作成する分類処理を行う。
【００６５】
（紙幣処理装置の分類処理）
図５は、紙幣処理装置１における紙幣ＢＮの搬送経路を示している。図６は、紙幣処理装置１が実行する分類処理における分類パターンの一例を示している。操作者は、表示部１７に表示される設定画面において操作を行うことにより、所望の分類パターンを設定することができる。
【００６６】
図６の分類パターンにおいて、帯封対象の紙幣は、一万円、五千円、千円、及び二千円の新券かつ正券である。第１集積部５１及び第２集積部５２は、一万円の新券かつ正券を集積する。第３集積部５３は、五千円の新券かつ正券を集積し、第４集積部５４は、千円の新券かつ正券を集積し、第５集積部５５は、二千円の正券を集積する。
【００６７】
ここで、「新券」とは、現時点で発行されているタイプの紙幣であり、「旧券」とは、現時点で発行されていない古いタイプの紙幣である。また、「正券」とは、破れや汚れが少なくて、市場に流通させても問題のない紙幣であり、「損券」とは、破れや汚れがあって、市場に流通させることが好ましくない紙幣である。
【００６８】
図６の分類パターンにおいて、帯封対象ではない紙幣は、損券や旧券等である。第１外部集積部１１又は第２外部集積部１２は、損券及び旧券等を集積する。第１外部集積部１１又は第２外部集積部１２は、全金種を集積する。
【００６９】
以下、図６の分類パターンに従った紙幣の搬送経路について、図５を参照しながら説明をする。
【００７０】
投入部１３は、投入された紙幣ＢＮを一枚ずつ繰り出す。搬送部３は、図５に実線の矢印で示すように、投入部１３から識別部１８へ紙幣ＢＮを搬送する。識別部１８は、紙幣ＢＮの識別を行う。
【００７１】
搬送部３は、識別部１８を通過した紙幣を、実線の矢印で示すように、第１反転部２１に搬送する。リジェクト券以外の紙幣ＢＮは、第１反転部２１の反転パス２１１、又は、バイパス２１２を通った後、実線の矢印で示すように、第２反転部２２に搬送される。第１反転部２１における紙幣ＢＮの反転についての詳細は、後述する。一方、リジェクト券は、第１反転部２１を実質的にバイパスして、点線の矢印で示すように、リジェクト部１４に搬送される。リジェクト券は、リジェクト部１４に集積される。
【００７２】
このように、リジェクト部１４につながる搬送路１４１は、第２反転部２２よりも上流から分岐していると共に、リジェクト券は、第１反転部２１の反転パス２１１及びバイパス２１２も通らない。リジェクト券を速やかにリジェクト部１４に搬送することができる。また例えば、斜行や重送等の搬送異常紙幣や、折れや破れ等を有する状態の悪い紙幣を含むリジェクト券が、第１反転部２１、又は、第２反転部２２において詰まってしまうことを、未然に回避することができる。
【００７３】
紙幣ＢＮは、第２反転部２２の反転パス２２１、又は、バイパス２２２を通る。第２反転部２２における紙幣の反転についての詳細も、後述する。第２反転部２２を通過した紙幣ＢＮの内、帯封対象の紙幣ＢＮは、実線の矢印で示すように、金種毎に、第１〜第５集積部５１〜５５に搬送される。ここで、一万円の新券かつ正券は、第１集積部５１及び第２集積部５２の一方に搬送される。具体的には、帯封枚数（例えば１００枚）に至るまでは、二つの集積部５１、５２の内の一方の集積部に紙幣ＢＮが集積される。一方の集積部に帯封枚数の紙幣ＢＮが集積されると、他方の集積部における紙幣ＢＮの集積が開始する。帯封枚数に至った紙幣は、運搬部６が集積部から取り出して帯封部７へと運搬するが、第１集積部５１及び第２集積部５２の複数の集積部を用いると、紙幣ＢＮを集積部から取り出している間にも、もう一つの集積部に紙幣を集積することができる。紙幣ＢＮの分類処理を中断することなく、紙幣ＢＮの集積を継続することができるため、処理時間を短縮することができる。
【００７４】
第１〜第５集積部５１〜５５の内、いずれかの集積部において帯封枚数（通常は、１００枚）の紙幣ＢＮが集積されると、運搬部６が、集積部から紙幣ＢＮを取り出すと共に、取り出した紙幣ＢＮを、帯封部７へと運搬する（図５の二点鎖線の矢印参照）。帯封部７は、紙幣ＢＮの帯封を行い、帯封紙幣は、投出部１５を通じて、紙幣処理装置１の筐体１０から外に投出される。詳細は後述するが、帯封紙幣の帯封紙には、紙幣ＢＮの表裏及び天地方向の向きが揃っているか否かの情報を含む各種情報が、印刷部７１によって印されている。
【００７５】
また、第２反転部２２を通過した紙幣ＢＮの内、帯封対象外の紙幣ＢＮ（つまり、損券及び旧券等）は、図５に一点鎖線で示すように、第１外部集積部１１又は第２外部集積部１２に搬送される。損券及び旧券等は、第１外部集積部１１又は第２外部集積部１２に集積される。
【００７６】
投入部１３に投入された紙幣ＢＮが全て紙幣処理装置１に取り込まれた後、帯封枚数に至らずに第１〜第５集積部５１〜５５に残った端数紙幣は、返却部１６に返却される。具体的には、図５に破線の矢印で示すように、運搬部６が、端数紙幣を第１〜第５集積部５１〜５５から取り出すと共に、返却部１６のトレイ１６１に搬送する。端数紙幣を載せたトレイ１６１が前進することによって、端数紙幣が、自動的に操作者に返却される。端数紙幣を、紙幣処理装置１の外に払い出すことによって、端数紙幣の取り忘れを防止することができる。
【００７７】
次に、図７のフローチャートを参照しながら紙幣処理装置１の分類処理について説明をする。このフローチャートは、制御部４１が実行する処理の手順を例示しており、第１反転部２１及び第２反転部２２による紙幣ＢＮの反転処理を含んでいる。前述したように、この紙幣処理装置１は、帯封対象の紙幣ＢＮについて、表裏を揃えるだけでなく、天地方向の向きも揃えることができる。紙幣処理装置１はまた、この構成例においては、帯封をする紙幣ＢＮの表裏及び天地方向の向きの両方を揃える四方向揃えモードと、帯封をする紙幣ＢＮの表裏のみを揃える表裏揃えモードと、帯封をする紙幣ＢＮの表裏及び天地方向の向きのいずれも揃えない非揃えモードと、を切り替えることが可能に構成されている。四方向揃えモードは、第１モードに相当し、表裏揃えモード及び非揃えモードは、第２モードに相当する。
【００７８】
図８は、紙幣ＢＮの分類処理を開始する前に、表示部１７に表示される紙幣ＢＮの揃えを設定するための画面Ｄ１を例示している。操作者は、図８の画面Ｄ１において、「表裏及び天地を揃える」ボタンと、「表裏のみを揃える」ボタンと、「表裏及び天地を揃えない」ボタンとを、任意に選択することができる。「表裏及び天地を揃える」ボタンが選択されると、四方向揃えモードになり、「表裏のみを揃える」ボタンが選択されると、表裏揃えモードになり、「表裏及び天地を揃えない」ボタンが選択されると、非揃えモードになる。
【００７９】
操作者のモードの選択に応じた操作信号に基づいて、記憶部４２は、モードを記憶する。制御部４１は、記憶部４２が記憶する設定情報に基づいて、第１反転部２１の分岐爪２１３、２１４、及び、第２反転部２２の分岐爪２２３を動かす。詳細は後述するが、紙幣処理装置１は、四方向モードにおいては、第１反転部２１及び第２反転部２２の両方を用いて、紙幣ＢＮの反転を適宜、行うことにより、紙幣ＢＮの表裏及び天地方向の向きの両方を揃える。紙幣処理装置１は、表裏揃えモードにおいては、第１反転部２１を用いて、紙幣ＢＮの反転を適宜、行う。紙幣処理装置１は、非揃えモードにおいては、第１反転部２１及び第２反転部２２による紙幣ＢＮの反転を行わない。
【００８０】
紙幣ＢＮの表裏及び／又は天地方向の向きを揃えないと、第１反転部２１及び第２反転部２２において紙幣ＢＮを反転させるときに紙幣ＢＮに負荷が加わることを回避することができる。紙幣ＢＮが傷んでしまうことを防止することができる。また、第２反転部２２によって紙幣ＢＮを反転させると、紙幣ＢＮに比較的大きい負荷が加わる。紙幣ＢＮの表裏のみを揃え、天地方向の向きを揃えないと、第２反転部２２において紙幣ＢＮを反転させるときに紙幣ＢＮに負荷が加わることを回避することができる。さらに、紙幣ＢＮの表裏及び／又は天地方向の向きを揃えないときには、紙幣ＢＮの搬送速度を速くすることによって、紙幣処理装置１の処理速度の向上を図ることができる。
【００８１】
図９は、紙幣処理装置１が分類処理を実行しているときに、表示部１７に表示する画面Ｄ２を例示している。この画面Ｄ２には、予め設定をした分類パターンが示されていると共に、処理を行った紙幣ＢＮの枚数、及び、作成をした帯封紙幣の数と、処理済みの紙幣ＢＮの金種別の金額及び合計金額が示されている。また、この画面Ｄ２の右上部分には、操作者が選択をしたモードが表示されている。図９の例では、「四方向揃え」モードが選択されていることを示している。こうすることで、操作者は、紙幣処理装置１が分類処理を実行しているときに、どのモードで処理を行っているかを知ることができる。
【００８２】
図７のフローにおいてスタート後のステップＳ１では、紙幣処理装置１は、投入部１３に投入されている紙幣を繰り出す。続くステップＳ２において、識別部１８は、紙幣の識別を行う。ステップＳ３において、紙幣ＢＮがリジェクト券であるか否かを判定する。リジェクト券でないときには、ステップＳ４に進む。ステップＳ４では、識別部１８の識別結果と操作者が選択をしたモードとに応じて、第１反転部２１及び第２反転部２２が反転処理を行う。
【００８３】
図１０、図１１、及び図１２は、ステップＳ４における反転処理に係るフローである。図１０は、四方向揃えモードにおける反転処理のフローであり、図１１は、表裏揃えモードにおける反転処理のフローであり、図１２は、非揃えモードにおける反転処理のフローである。以下、反転処理の手順を順に説明する。
【００８４】
図１０に示すフローは、第１反転部２１及び第２反転部２２を用いて、紙幣ＢＮの表裏及び天地方向の向きの両方を揃えるフローである。ステップＳ３に続くステップは、紙幣ＢＮの方向に応じてステップＳ４１ａ〜Ｓ４４ａに進む。つまり、紙幣ＢＮがＡ方向であるときにはステップＳ４１ａに進み、紙幣ＢＮがＢ方向であるときにはステップＳ４２ａに進み、紙幣ＢＮがＣ方向であるときにはステップＳ４３ａに進み、紙幣ＢＮがＤ方向であるときにはステップＳ４４ａに進む。
【００８５】
ステップＳ５１ａ〜Ｓ５４ａは、第１反転部２１における反転動作に係る。ステップＳ４１ａに続くステップＳ５１ａにおいては、紙幣ＢＮを反転させる必要がないため、第１反転部２１は、紙幣ＢＮを通過させる（つまり、紙幣ＢＮは、バイパス２１２を通過する）。紙幣の方向はＡ方向のままである。ステップＳ４２ａに続くステップＳ５２ａにおいて、第１反転部２１は、紙幣ＢＮを反転させる（つまり、紙幣ＢＮは、反転パス２１１を通過する）。これにより、紙幣ＢＮの表裏及び天地方向の向きの両方が反転し、紙幣の方向はＢ方向からＤ方向になる。ステップＳ４３ａに続くステップＳ５３ａにおいて、第１反転部２１は、紙幣ＢＮを反転させる。これにより、紙幣ＢＮの方向はＣ方向からＡ方向になる。ステップＳ４４ａに続くステップＳ５４ａにおいて、第１反転部２１は、紙幣ＢＮを通過させる。紙幣ＢＮの方向はＤ方向のままである。
【００８６】
ステップＳ６１ａ〜６４ａは、第２反転部２２における反転動作に係る。ステップＳ５１ａに続くステップＳ６１ａにおいては、紙幣ＢＮを反転させる必要がないため、第２反転部２２は、紙幣ＢＮを通過させる（つまり、紙幣ＢＮは、バイパス２２２を通過する）。紙幣ＢＮの方向はＡ方向のままである。ステップＳ５２ａに続くステップＳ６２ａにおいて、第２反転部２２は、紙幣ＢＮを反転させる（つまり、紙幣ＢＮは、反転パス２２１を通過する）。これにより、紙幣ＢＮの表裏及び左右方向の向きの両方が反転し、紙幣ＢＮの方向はＤ方向からＡ方向になる。ステップＳ５３ａに続くステップＳ６３ａにおいて、第２反転部２２は、紙幣ＢＮを通過させる。これにより、紙幣ＢＮの方向はＡ方向のままになる。ステップＳ５４ａに続くステップＳ６４ａにおいて、第２反転部２２は、紙幣ＢＮを反転させる。紙幣ＢＮの方向はＤ方向からＡ方向になる。
【００８７】
四方向揃えモードにおいては、紙幣ＢＮの方向に応じて、第１反転部２１及び第２反転部２２において、選択的に、紙幣ＢＮの反転動作を行うことにより、第１反転部２１及び第２反転部２２を通過した紙幣ＢＮの表裏及び天地方向の向きを全て揃えることができる。
【００８８】
図１１に示すフローは、第１反転部２１を用いて、紙幣ＢＮの表裏のみを揃えるフローである。ステップＳ３に続くステップは、紙幣ＢＮの方向に応じてステップＳ４１ｂ〜Ｓ４４ｂに進む。つまり、紙幣ＢＮがＡ方向であるときにはステップＳ４１ｂに進み、紙幣ＢＮがＢ方向であるときにはステップＳ４２ｂに進み、紙幣ＢＮがＣ方向であるときにはステップＳ４３ｂに進み、紙幣ＢＮがＤ方向であるときにはステップＳ４４ｂに進む。
【００８９】
ステップＳ５１ｂ〜Ｓ５４ｂは、第１反転部２１における反転動作に係る。ステップＳ４１ｂに続くステップＳ５１ｂにおいては、紙幣ＢＮを反転させる必要がないため、第１反転部２１は、紙幣ＢＮを通過させる。紙幣ＢＮの方向はＡ方向のままである。ステップＳ４２ｂに続くステップＳ５２ｂにおいても、紙幣ＢＮを反転させる必要がないため、第１反転部２１は、紙幣ＢＮを通過させる。紙幣ＢＮの方向はＢ方向のままである。ステップＳ４３ｂに続くステップＳ５３ｂにおいて、第１反転部２１は、紙幣ＢＮを反転させる。これにより、紙幣ＢＮの方向はＣ方向からＡ方向になる。ステップＳ４４ｂに続くステップＳ５４ｂにおいて、第１反転部２１は、紙幣ＢＮを反転させる。紙幣ＢＮの方向はＤ方向からＢ方向になる。表裏揃えモードにおいて、紙幣ＢＮが第１反転部２１を通過すると、全ての紙幣ＢＮの表裏が揃う。
【００９０】
ステップＳ６１ｂ〜６４ｂは、第２反転部２２における反転動作に係る。前述したように、表裏揃えモードにおいて、第１反転部２１を通過した紙幣ＢＮは表裏が全て揃っているため、第２反転部２２は、紙幣ＢＮの反転を行わない。つまり、ステップＳ５１ｂに続くステップＳ６１ｂにおいて、第２反転部２２は、紙幣ＢＮを通過させる。紙幣ＢＮの方向はＡ方向のままである。ステップＳ５２ｂに続くステップＳ６２ｂにおいて、第２反転部２２は、紙幣ＢＮを通過させる。紙幣ＢＮの方向はＢ方向のままである。ステップＳ５３ｂに続くステップＳ６３ｂにおいて、第２反転部２２は、紙幣ＢＮを通過させる。これにより、紙幣ＢＮの方向はＡ方向のままになる。ステップＳ５４ｂに続くステップＳ６４ｂにおいて、第２反転部２２は、紙幣ＢＮを通過させる。紙幣ＢＮの方向はＢ方向のままになる。
【００９１】
表裏揃えモードにおいては、紙幣ＢＮの方向に応じて、第１反転部２１において、選択的に、紙幣ＢＮの反転動作を行う一方で、第２反転部２２は紙幣ＢＮの反転を行わない。このことにより、第１反転部２１及び第２反転部２２を通過した紙幣ＢＮの表裏を全て揃えることができる。第２反転部２２は、第１反転部２１と比較して、紙幣ＢＮを反転するときに、紙幣ＢＮに加える負荷が大きい。表裏揃えモードにおいて、第２反転部２２を用いないことによって、紙幣ＢＮに加わる負荷を小さくしながら、全ての紙幣ＢＮの表裏を揃えることが可能になる。
【００９２】
図１２に示すフローは、紙幣ＢＮの表裏及び天地方向の向きのいずれも揃えないフローである。ステップＳ３に続くステップは、紙幣ＢＮの方向に応じてステップＳ４１ｃ〜Ｓ４４ｃに進む。つまり、紙幣ＢＮがＡ方向であるときにはステップＳ４１ｃに進み、紙幣ＢＮがＢ方向であるときにはステップＳ４２ｃに進み、紙幣ＢＮがＣ方向であるときにはステップＳ４３ｃに進み、紙幣ＢＮがＤ方向であるときにはステップＳ４４ｃに進む。
【００９３】
ステップＳ５１ｃ〜Ｓ５４ｃは、第１反転部２１における反転動作に係る。紙幣ＢＮの表裏及び天地方向の向きを揃えないため、第１反転部２１は、紙幣ＢＮの反転を行わない。つまり、ステップＳ４１ｃに続くステップＳ５１ｃにおいて、第１反転部２１は、紙幣ＢＮを通過させる。紙幣ＢＮの方向はＡ方向のままである。ステップＳ４２ｃに続くステップＳ５２ｃにおいて、第１反転部２１は、紙幣ＢＮを通過させる。紙幣ＢＮの方向はＢ方向のままである。ステップＳ４３ｃに続くステップＳ５３ｃにおいて、第１反転部２１は、紙幣ＢＮを通過させる。紙幣ＢＮの方向はＣ方向のままである。ステップＳ４４ｃに続くステップＳ５４ｃにおいて、第１反転部２１は、紙幣ＢＮを通過させる。紙幣ＢＮの方向はＤ方向のままである。
【００９４】
ステップＳ６１ｃ〜６４ｃは、第２反転部２２における反転動作に係る。第２反転部２２も、第１反転部２１と同様に、紙幣ＢＮの反転を行わない。つまり、ステップＳ５１ｃに続くステップＳ６１ｃにおいて、第２反転部２２は、紙幣ＢＮを通過させる。紙幣ＢＮの方向はＡ方向のままである。ステップＳ５２ｃに続くステップＳ６２ｃにおいて、第２反転部２２は、紙幣ＢＮを通過させる。紙幣ＢＮの方向はＢ方向のままである。ステップＳ５３ｃに続くステップＳ６３ｃにおいて、第２反転部２２は、紙幣ＢＮを通過させる。これにより、紙幣ＢＮの方向はＣ方向のままになる。ステップＳ５４ｃに続くステップＳ６４ｃにおいて、第２反転部２２は、紙幣ＢＮを通過させる。紙幣ＢＮの方向はＤ方向のままになる。
【００９５】
非揃えモードにおいて、第１反転部２１及び第２反転部２２は共に、紙幣ＢＮを反転しない。このことにより、紙幣ＢＮに負荷が加わることが抑制される。また、第１反転部２１及び第２反転部２２の両方において紙幣ＢＮの反転を行わないことにより、紙幣ＢＮの搬送速度を速くすることも可能になる。搬送速度を速くすると、紙幣ＢＮの分類処理の処理速度が上がる。
【００９６】
図７のフローに戻り、ステップＳ４の後のステップＳ５において、制御部４１は、識別部１８の識別結果に基づいて、第１反転部２１及び第２反転部２２を通過した紙幣ＢＮが、帯封対象であるか否かを判定する。帯封対象であれば、ステップＳ６に進み、制御部４１は、当該紙幣ＢＮを、金種に対応する第１〜第５集積部５１〜５５のいずれかに搬送する。一方、当該紙幣ＢＮが帯封対象でなければ（つまり、損券、旧券、又は帯封対象外の金種等であれば）、ステップＳ７に進み、制御部４１は、当該紙幣ＢＮを、第１外部集積部１１又は第２外部集積部１２に搬送する。従って、第１外部集積部１１又は第２外部集積部１２に集積する紙幣ＢＮは、操作者が選択したモードに応じて、表裏及び／又は天地方向の向きが揃う（但し、非揃えモードが選択された場合は、表裏も天地方向の向きも揃えられない）。
【００９７】
ステップＳ３においてリジェクト券と識別されたとき、具体的には識別不能券、又は、搬送異常券と識別されたときには、ステップＳ８に進み、当該紙幣ＢＮをリジェクト部１４に搬送する。前述したようにリジェクト券は、実質的には第１反転部２１を通らないで、リジェクト部１４に搬送される。リジェクト券はまた、第２反転部２２も通過しない。従って、リジェクト部１４に集積する紙幣ＢＮは、操作者が選択したモードがどのモードであっても、表裏も天地方向の向きも揃わない。
【００９８】
ステップＳ６の後のステップＳ９において、制御部４１は、第１〜第５集積部５１〜５５のいずれかに、帯封枚数分の紙幣ＢＮが集積したか否かを判定する。ステップＳ９の判定がＹＥＳであれば、ステップＳ１０に進み、ＮＯであればステップＳ１４へ進む。
【００９９】
ステップＳ１０では、運搬部６は、帯封枚数に至った紙幣ＢＮを、第１〜第５集積部５１〜５５から帯封部７に運搬し、続くステップＳ１１で、帯封部７は、紙幣ＢＮの帯封を行う。
【０１００】
ステップＳ１２において、印刷部７１は、帯封紙に印字を行う。ここで、印刷部７１は、選択しているモードに応じて、帯封紙に印字する内容を変える。
【０１０１】
図１３は、印刷部７１が、選択しているモードに応じて、帯封紙に印字する内容を変える例を示している。印刷部７１は、前述したように、帯封を行った日時の情報（図１３の例では、２０１７０４２１．１３３０５９）や、帯封処理を行った操作者等を特定する情報（１２Ａ３４）を、帯封紙に印刷する。四方向揃えモードを選択していて、帯封紙幣に含まれる紙幣ＢＮの表裏及び天地方向の向きの両方が揃っている場合、図１３の上図に例示するように、日時の情報と担当者等を特定する情報との間に、「．」を打つ。表裏揃えモードを選択していて、帯封紙幣に含まれる紙幣ＢＮの表裏のみが揃っている場合、図１３の下図に例示するように、「−」を打つ。選択しているモードに応じて、帯封紙に印字する内容を変えることによって、操作者は、帯封紙幣に含まれる紙幣ＢＮの向きを見なくても、帯封紙を見ることだけで、紙幣ＢＮの表裏及び天地方向の向きの両方が揃っているか、揃っていないかを知ることができる。尚、図示は省略するが、非揃えモードを選択していて、帯封紙幣に含まれる紙幣ＢＮの表裏及び天地方向の向きのいずれも揃っていない場合、日時の情報と担当者等を特定する情報との間に、何も印字しない、としてもよい。尚、図１３に示す印字は、一例であり、紙幣の方向の揃え状態を区別するための印字は、様々態様を適宜採用することが可能である。
【０１０２】
図１３の例とは異なり、図１４に例示するように、押印部７３が、選択しているモードに応じて、帯封紙に印字する内容を変えてもよい。押印部７３は、前述したように、帯封紙幣を作成した金融機関名の情報、及び、帯封紙幣が損券である旨の情報を、帯封紙に印す。四方向揃えモードを選択していて、帯封紙幣に含まれる紙幣ＢＮの表裏及び天地方向の向きの両方が揃っている場合、図１４の上図に例示するように、金融機関名のスタンプを押す。表裏揃えモードを選択していて、帯封紙幣に含まれる紙幣ＢＮの表裏のみが揃っている場合、図１４の下図に例示するように、金融機関名のスタンプを押さない。こうすることでも、操作者は、帯封紙を見ることだけで、紙幣ＢＮの表裏及び天地方向の向きの両方が揃っているか、揃っていないかを知ることができる。その他の態様として、印字の色を変えたり、印字する位置を変えたりしてもよい。
【０１０３】
図７のフローに戻り、ステップＳ１３において、前述の通り、第２運搬部７２が帯封紙幣を投出部１５へ搬送し、帯封紙幣を投出部１５から筐体１０の外に投出する。
【０１０４】
ステップＳ１４では、次の紙幣ＢＮが、投入部１３にあるか否か判定する。次の紙幣ＢＮがあればステップＳ１に戻り、次の紙幣ＢＮが無ければ、フローを終了する。
【０１０５】
以上説明したように、この紙幣処理装置１は、第１反転部２１及び第２反転部２２を備えているため、帯封する紙幣ＢＮの表裏及び天地方向の向きを揃えることができる。
【０１０６】
また、操作者の選択に応じて、帯封する紙幣ＢＮの表裏及び天地方向の向きを揃える四方向揃えモードと、紙幣ＢＮの表裏のみを揃える表裏揃えモードと、紙幣ＢＮの表裏及び天地方向の向きのいずれも揃えない非揃えモードとを切り替えることができる。操作者のニーズに対応することができる。
【０１０７】
ここで、紙幣処理装置１は、例えば第２反転部２２（特に、反転機構２２４）が故障等の理由によって、紙幣ＢＮの反転を行うことができないときには、縮退モードで処理を実行するようにしてもよい。つまり、紙幣処理装置１は、第２反転部２２を用いずに、第１反転部２１のみを用いて紙幣ＢＮの反転を行うことにより、紙幣ＢＮの表裏のみを揃えながら、紙幣ＢＮの帯封を行うようにしてもよい。例えば図１５に示すように、紙幣処理装置１は、縮退モードによる紙幣処理装置１の動作を行うか、又は、分類処理を取り止めるかを、操作者に確認する画面Ｄ３を、表示部１７に表示してもよい。
【０１０８】
こうすることで、第２反転部２２が故障等した場合であっても、縮退モードを利用することにより、操作者は、紙幣処理装置１を用いた分類処理を継続して実行することができる。また、操作者は、紙幣処理装置１の分類処理を取り止めることもできる。紙幣処理装置１の利便性が向上する。
【０１０９】
尚、第１反転部２１（特に、反転パス２１１）が故障等の理由によって、紙幣ＢＮの反転を行うことができないときにも、縮退モードで処理を実行するようにしてもよい。この場合の縮退モードも、紙幣処理装置１は、第１反転部２１を用いずに、第２反転部２２のみを用いて紙幣ＢＮの反転を行うことにより、紙幣ＢＮの表裏のみを揃えながら、紙幣ＢＮの帯封を行うようにしてもよい。
【０１１０】
尚、縮退モードは、紙幣ＢＮの反転を行わないことによって、紙幣ＢＮの表裏及び天地方向の向きの何れも揃えないで帯封を行うモードとしてもよい。
【０１１１】
尚、この紙幣処理装置１は、第１外部集積部１１及び第２外部集積部１２につながる搬送路が、第２反転部２２の下流に接続しているため、帯封対象の紙幣ＢＮに限らず、第１外部集積部１１及び第２外部集積部１２に集積する紙幣ＢＮについても、表裏及び天地方向の向きを揃えることが可能に構成されている。そのため、操作者は、帯封対象の紙幣ＢＮについて、前述した四方向揃えモード、表裏揃えモード及び非揃えモードの選択を行うと共に、帯封対象外の紙幣ＢＮについても、別途、四方向揃えモード、表裏揃えモード及び非揃えモードの選択を行うことが可能にしてもよい。こうすることで、識別部１８の識別結果に基づいて、第１反転部２１及び第２反転部２２は、帯封対象の紙幣ＢＮの表裏及び／又は天地方向の向きを揃える一方、帯封対象外の紙幣ＢＮの表裏及び／又は天地方向の向きを揃えない、ことも可能になる。
【０１１２】
（紙幣処理装置の搬送エラー時の処理）
図２に概略的に示すように、押印部７３は、帯封紙幣を搬送する第２運搬部７２の途中に配設されている。従来の紙幣処理装置においては、第２搬送部において、帯封紙幣の搬送エラー（例えば斜行等）が発生したときには、押印部が、帯封紙幣に巻かれた帯封紙に正確に押印をすることができないため、帯封紙幣の搬送自体は継続して可能であるものの、帯封紙幣の搬送を第２運搬部の途中で停止し、操作者に対してエラーを報知していた。これは、帯封紙に押印が行われた正常な帯封紙幣と、帯封紙に押印が行われていない異常な帯封紙幣と、を確実に区別するためである。
【０１１３】
従来の紙幣処理装置において搬送エラーが発生したときには、操作者は、紙幣処理装置の筐体の内部を開放し、途中で止まっている帯封紙幣を手で取り出した後、取り出した帯封紙幣の帯封を解いて紙幣処理装置に再投入していた。従来の紙幣処理装置は、搬送エラーが発生したときに、操作者が行わなければならない操作が煩雑であった。
【０１１４】
これに対し、前記の構成の紙幣処理装置１は、操作者の操作を簡略化するために、第２運搬部７２において帯封紙幣の搬送エラーが発生したときに、帯封紙幣の搬送を途中で停止せず、帯封紙幣をそのまま投出部１５へ搬送することによって、投出部１５を通じて筐体１０の外に投出する。こうすることで、操作者は、紙幣処理装置１の筐体１０を開放して、第２運搬部７２の途中で運搬が停止している帯封紙幣を手で取り出す操作を行わなくて済む。搬送エラーに係る帯封紙幣を、投出部１５から投出した後、紙幣処理装置１は停止をする。尚、投出された帯封紙幣には、押印部７３による押印は行われてない。
【０１１５】
帯封紙に押印が行われた正常な帯封紙幣と、帯封紙に押印が行われていない異常な帯封紙幣とが区別可能となるために、紙幣処理装置１は、停止中、表示部１７に、図１６に例示するエラー報知画面Ｄ４を表示する。エラー報知画面Ｄ４には、最後に正常な処理を行った帯封紙幣の、帯封紙に印字された情報（つまり、前述の通り、印刷部７１が印刷を行った情報であって、帯封を行った日時の情報や、帯封処理を行った操作者等を特定する情報）が示される。操作者は、投出部１５から投出された帯封紙幣の帯封紙の情報を見ることによって、処理が正常に行われた帯封紙幣を知ることができるから、投出部１５から投出された帯封紙幣の内、処理が正常に行われた帯封紙幣と、搬送エラーが発生したため、処理が正常に行われていない帯封紙幣とを区別することができる。
【０１１６】
操作者は、正常に処理が行われた帯封紙幣はそのままにし、処理が正常に行われていない帯封紙幣について、帯封を解いた後に、紙幣処理装置１の投入部１３に再投入する。また、操作者は、エラー報知画面Ｄ４における「リセット」ボタンを操作することによって、紙幣処理装置１は、分類処理を再開する。
【０１１７】
（紙幣処理装置の別の構成例）
図１７は、紙幣処理装置の別の構成例を示している。この紙幣処理装置１００は、図２に示す紙幣処理装置１と同様に、紙幣ＢＮを識別及び計数し、種類別に分類をした上で、所定枚数毎の帯封紙幣を作成する装置である。紙幣処理装置１００は、第１外部集積部１１、第２外部集積部１２、投入部１３、リジェクト部１４、投出部１５、表示部１７、識別部１８、第１反転部２１、第２反転部２２、搬送部３、制御部４１、記憶部４２、第１〜第５集積部５１〜５５、運搬部６、及び、帯封部７を備えている。紙幣処理装置１００において、図２に示す紙幣処理装置１と同じ構成要素について同じ符号を付して、その詳細な説明を省略する場合がある。紙幣処理装置１００は、主に、構成要素の配置が、紙幣処理装置１とは相違する。また、紙幣処理装置１００は、紙幣処理装置１とは異なり、端数紙幣を返却するための返却部１６を備えていない。
【０１１８】
第１外部集積部１１及び第２外部集積部１２は、紙幣処理装置１００の筐体１０の上部に前後に並んで設けられている。第１外部集積部１１は、第２外部集積部１２よりも後側に配設されている。筐体１０の上部において、第１外部集積部１１よりも前側には、リジェクト部１４が配設されている。
【０１１９】
識別部１８は、筐体１０の前面の上部に設けられた投入部１３の後側でかつ、第２外部集積部１２及びリジェクト部１４の下側に配設されている。識別部１８は、紙幣ＢＮを上下方向に搬送する搬送路に設けられている。リジェクト部１４につながる搬送路１４１は、紙幣ＢＮの搬送方向について識別部１８の下流から分岐している。
【０１２０】
第１反転部２１は、筐体１０の内部において、識別部１８の後側でかつ、第１外部集積部１１及び第２外部集積部１２の下側に配設されている。紙幣ＢＮは、第１反転部２１を、上から下に向かう略上下方向に通過する。
【０１２１】
第１外部集積部１１及び第２外部集積部１２につながる搬送路１２０は、紙幣ＢＮの搬送方向について、第１反転部２１の下流から分岐している。
【０１２２】
第２反転部２２は、識別部１８及び第１反転部２１の下側に配設されている。紙幣ＢＮは、第２反転部２２を、紙幣処理装置１００の後方から前方に向かう略水平方向に通過する。第２反転部２２もまたユニット化している。図１７に一点鎖線で示すように、操作者は手で、第２反転部２２のユニットを、筐体１０の前方に引き出すことができる。
【０１２３】
第１〜第５集積部５１〜５５は、第２反転部２２の下側に配設されている。第１〜第５集積部５１〜５５は、筐体１０内の前部において、上下方向に並んで配設されている。
【０１２４】
紙幣ＢＮを搬送する搬送路は、第１〜第５集積部５１〜５５の前側において、第１〜第５集積部５１〜５５に沿うように、上下方向に伸びて配設されている。この搬送路は、筐体１０の前部に設けた扉１０１に対して一体に設けられている。図示は省略するが、扉１０１を開けることによって、第１〜第５集積部５１〜５５が、筐体１０の外に開放される。この紙幣処理装置１００において、第１〜第５集積部５１〜５５に残った端数紙幣は、操作者が手で、第１〜第５集積部５１〜５５から直接、取り出す。
【０１２５】
運搬部６は、第１〜第５集積部５１〜５５の後側に配設されている。運搬部６は、第１〜第５集積部５１〜５５から取り出した紙幣ＢＮを、帯封部７に運搬する。
【０１２６】
帯封部７は、第１〜第５集積部５１〜５５の下側に配設されている。帯封部７は、運搬部６によって運搬された紙幣ＢＮを帯封する。生成された帯封紙幣は、第２運搬部７２によって運搬されることにより、投出部１５から投出される。
【０１２７】
この紙幣処理装置１００においては、前述の通り、リジェクト部１４につながる搬送路１４１は、第１反転部２１よりも上流から分岐している。リジェクト券は、第１反転部２１も第２反転部２２も通らない。これにより、リジェクト券が、第１反転部２１及び第２反転部２２において詰まってしまうことを未然に回避することができる。また、リジェクト券を、速やかにリジェクト部１４に搬送することができる。
【０１２８】
また、第１外部集積部１１及び第２外部集積部１２に集積する紙幣は、第１反転部２１を通過する一方、第２反転部２２は通過しない。従って、第１外部集積部１１及び第２外部集積部１２に集積する紙幣ＢＮの表裏を揃えることができるものの、表裏及び天地方向の向きの両方を揃えることはできない。
【０１２９】
第１〜第５集積部５１〜５５に搬送される帯封対象の紙幣ＢＮは、第１反転部２１及び第２反転部２２の両方を通過する。そのため、紙幣処理装置１００は、帯封する紙幣ＢＮの表裏及び天地方向の向きの両方を揃えることができる。
【０１３０】
図１８は、図１７に示す紙幣処理装置１００における分類処理のフローチャートを示している。このフローチャートは、制御部４１が実行する処理の手順を例示している。尚、紙幣処理装置１００においても、前記と同様に、紙幣ＢＮの分類処理を開始する前に、操作者はモードを設定する（図８参照）。
【０１３１】
図１８のフローにおいてスタート後のステップＳ２１では、紙幣処理装置１００は、投入部１３に投入されている紙幣ＢＮを繰り出す。続くステップＳ２２において、識別部１８は、紙幣ＢＮの識別を行う。ステップＳ２３において、紙幣ＢＮがリジェクト券であるか否かを判定する。リジェクト券でないときにはステップＳ２４に進む。
【０１３２】
ステップＳ２４において、制御部４１は、帯封対象の紙幣ＢＮであるか否かを判定する。帯封対象の紙幣ＢＮであるときには、ステップＳ２５に進む。ステップＳ２５は、識別部１８の識別結果と操作者が選択をしたモードとに応じて、第１反転部２１及び第２反転部２２が反転処理を行う。ステップＳ２５における処理の手順は、図１０、図１１、及び、図１２と同じであり、その説明は省略する。
【０１３３】
帯封対象の紙幣ＢＮは、第１反転部２１及び第２反転部２２を通過することによって、四方向揃えモードにおいては、表裏及び天地方向の向きが全て揃う。帯封対象の紙幣ＢＮは、表裏揃えモードにおいては、表裏のみが揃う。帯封対象の紙幣ＢＮは、非揃えモードにおいては、表裏及び天地方向の向きが揃わない。
【０１３４】
ステップＳ２５の後のステップＳ２７において、制御部４１は、紙幣ＢＮを、金種に対応する第１〜第５集積部５１〜５５のいずれかに搬送する。
【０１３５】
ステップＳ２７の後のステップＳ２１０において、制御部４１は、第１〜第５集積部５１〜５５のいずれかに、帯封枚数分の紙幣ＢＮが集積したか否かを判定する。ステップＳ２１０の判定がＹＥＳであれば、ステップＳ２１１に進み、ＮＯであればステップＳ２１５へ進む。
【０１３６】
ステップＳ２１１では、運搬部６は、帯封枚数に至った紙幣ＢＮを、第１〜第５集積部５１〜５５から帯封部７に運搬し、続くステップＳ２１２で、帯封部７は、紙幣ＢＮの帯封を行う。
【０１３７】
ステップＳ２１３において、印刷部７１は、帯封紙に印字を行う。印刷部７１は、選択しているモードに応じて、帯封紙に印字する内容を変える点は、前記と同じである（図１３参照）。印刷部７１ではなく、押印部７３が、選択しているモードに応じて、帯封紙に押印する内容を変えてもよい（図１４参照）。
【０１３８】
ステップＳ２１４においては、帯封紙幣を、第２運搬部７２が投出部１５へ搬送し、帯封紙幣を投出部１５から筐体１０の外に投出する。
【０１３９】
ステップＳ２４において、帯封対象の紙幣ＢＮでないときには（つまり、損券、旧券、又は、対象外金種券のときには）、ステップＳ２６に進む。ステップＳ２６においては、識別部１８の識別結果と操作者が選択をしたモードとに応じて、第１反転部２１が反転処理を行う。前述したように、紙幣処理装置１００は、第１外部集積部１１及び第２外部集積部１２に集積する紙幣は、第１反転部２１のみを通過し、第２反転部２２を通過しない。そのため、四方向揃えモードが選択されていても、紙幣ＢＮの表裏及び天地方向の向きの両方を揃えることができない。そこで、紙幣処理装置１００は、四方向揃えモードが選択されているときには、第１反転部２１を用いて紙幣ＢＮの表裏のみを揃える。また、表裏揃えモードが選択されているときにも、第１反転部２１を用いて紙幣ＢＮの表裏を揃える。非揃えモードが選択されているときには、第１反転部２１を用いた紙幣ＢＮの反転を行わない。
【０１４０】
図１９は、四方向揃えモード、及び、表裏揃えモードが選択されているときの、ステップＳ２６における処理手順のフローを示している。ステップＳ２４に続くステップは、紙幣ＢＮの方向に応じてステップＳ２６１ａ〜Ｓ２６４ａに進む。つまり、紙幣ＢＮがＡ方向であるときにはステップＳ２６１ａに進み、紙幣ＢＮがＢ方向であるときにはステップＳ２６２ａに進み、紙幣ＢＮがＣ方向であるときにはステップＳ２６３ａに進み、紙幣ＢＮがＤ方向であるときにはステップＳ２６４ａに進む。
【０１４１】
ステップＳ２７１ａ〜Ｓ２７４ａは、第１反転部２１における反転動作に係る。紙幣ＢＮの表裏を揃えるため、第１反転部２１は、紙幣ＢＮの方向に応じて選択的に、紙幣ＢＮの反転を行う。具体的に、ステップＳ２６１ａに続くステップＳ２７１ａにおいて、第１反転部２１は、紙幣ＢＮを通過させる。紙幣ＢＮの方向はＡ方向のままである。ステップＳ２６２ａに続くステップＳ２７２ａにおいて、第１反転部２１は、紙幣ＢＮを通過させる。紙幣ＢＮの方向はＢ方向のままである。ステップＳ２６３ａに続くステップＳ２７３ａにおいて、第１反転部２１は、紙幣ＢＮを反転させる。紙幣ＢＮの方向はＣ方向からＡ方向になる。ステップＳ２６４ａに続くステップＳ２７４ａにおいて、第１反転部２１は、紙幣ＢＮを反転させる。紙幣ＢＮの方向はＤ方向からＢ方向になる。
【０１４２】
ステップＳ２７１ａ〜Ｓ２７４ａの後のステップＳ２８において、制御部４１は、紙幣ＢＮを、第１外部集積部１１又は第２外部集積部１２に搬送する。第１外部集積部１１又は第２外部集積部１２に集積される紙幣ＢＮは、表裏が揃っている。
【０１４３】
図２０は、非揃えモードが選択されているときの、ステップＳ２６における処理手順のフローを示している。ステップＳ２４に続くステップは、紙幣ＢＮの方向に応じてステップＳ２６１ｂ〜Ｓ２６４ｂに進む。つまり、紙幣ＢＮがＡ方向であるときにはステップＳ２６１ｂに進み、紙幣ＢＮがＢ方向であるときにはステップＳ２６２ｂに進み、紙幣ＢＮがＣ方向であるときにはステップＳ２６３ｂに進み、紙幣ＢＮがＤ方向であるときにはステップＳ２６４ｂに進む。
【０１４４】
ステップＳ２７１ｂ〜Ｓ２７４ｂは、第１反転部２１における反転動作に係る。紙幣ＢＮの表裏を揃えないため、第１反転部２１は、紙幣ＢＮを通過させる。具体的に、ステップＳ２６１ｂに続くステップＳ２７１ｂにおいて、第１反転部２１は、紙幣ＢＮを通過させる。紙幣ＢＮの方向はＡ方向のままである。ステップＳ２６２ｂに続くステップＳ２７２ｂにおいて、第１反転部２１は、紙幣ＢＮを通過させる。紙幣ＢＮの方向はＢ方向のままである。ステップＳ２６３ｂに続くステップＳ２７３ｂにおいて、第１反転部２１は、紙幣ＢＮを通過させる。紙幣ＢＮの方向はＣ方向のままである。ステップＳ２６４ｂに続くステップＳ２７４ｂにおいて、第１反転部２１は、紙幣ＢＮを通過させる。紙幣ＢＮの方向はＤ方向のままである。
【０１４５】
ステップＳ２７１ｂ〜Ｓ２７４ｂの後のステップＳ２８において、制御部４１は、紙幣ＢＮを、第１外部集積部１１又は第２外部集積部１２に搬送する。第１外部集積部１１又は第２外部集積部１２に集積される紙幣ＢＮは、表裏及び天地方向の向きのいずれも揃っていない。
【０１４６】
ステップＳ２３においてリジェクト券と識別されたときには、ステップＳ２９に進み、制御部４１は、当該紙幣ＢＮをリジェクト部１４に搬送する。前述したように、リジェクト券は、第１反転部２１を通過しないと共に、第２反転部２２も通過しない。従って、リジェクト部１４に集積する紙幣ＢＮは、表裏も天地方向の向きも揃わない。
【０１４７】
ステップＳ２１５において、制御部４１は、次の紙幣ＢＮが、投入部１３にあるか否か判定し、次の紙幣ＢＮがあればステップＳ２１に戻り、次の紙幣ＢＮが無ければ、フローを終了する。
【０１４８】
以上説明したように、この紙幣処理装置１００は、帯封する紙幣ＢＮの表裏及び天地方向の向きを揃えることができる。また、帯封をしない紙幣ＢＮを集積する第１外部集積部１１及び第２外部集積部１２につながる搬送路１２０が、第１反転部２１と第２反転部２２との間から分岐するため、帯封をしない紙幣ＢＮの表裏を（第１反転部２１によって）揃えることができる。
【０１４９】
また、紙幣処理装置１００においても、操作者の選択に応じて、帯封する紙幣ＢＮの表裏及び天地方向の向きを揃える四方向揃えモードと、紙幣ＢＮの表裏のみを揃える表裏揃えモードと、紙幣ＢＮの表裏及び天地方向の向きのいずれも揃えない非揃えモードとを切り替えることができる。操作者のニーズに対応することができる。そして、選択されたモードに応じて帯封紙に印字する内容を変えることができるため、帯封紙幣内の紙幣の揃い具合を、一目で判断することができる。
【０１５０】
尚、図１８に示すフローチャートにおいては、帯封対象外の紙幣ＢＮについても、操作者が選択したモードに応じて紙幣ＢＮの表裏を揃えているが、帯封対象外の紙幣ＢＮは、操作者が選択したモードに関わらず、紙幣ＢＮの表裏を揃えない、としてもよい。
【０１５１】
（端数紙幣の返却処理）
前述したように、紙幣処理装置１００は、返却部１６を備えていないため、第１〜第５集積部５１〜５５に残った端数紙幣は、扉１０１を開けて、操作者が、手で第１〜第５集積部５１〜５５から取り出す。
【０１５２】
これとは異なり、紙幣処理装置１００は、運搬部６を用いて、端数紙幣を、第１〜第５集積部５１〜５５から帯封部７に搬送し、帯封部７及び第２運搬部７２を通じて、投出部１５から、筐体１０の外に返却するようにしてもよい。尚、この場合、帯封部７は紙幣の帯封を行わない。
【０１５３】
第１〜第５集積部５１〜５５の内、二以上の集積部に端数紙幣が残っている場合、運搬部６は、第１〜第５集積部５１〜５５の端数紙幣を、順次、帯封部７に搬送し、投出部１５から、筐体１０の外に、順次、返却するようにすればよい。
【０１５４】
また、端数紙幣を、前述の通り、扉１０１を開けて第１〜第５集積部５１〜５５から取り出すか、投出部１５を通じて返却するか、を操作者が選択可能に構成してもよい。また、紙幣処理装置１００が、端数紙幣の返却形態を、自動的に設定するようにしてもよい。例えば、端数紙幣が残っている集積部の数が多いとき（例えば、３以上）には、扉１０１を開けて第１〜第５集積部５１〜５５から取り出すようにし、端数紙幣が残っている集積部の数が少ないとき（例えば、１又は２）には、投出部１５を通じて返却する、又は、それとは逆に、端数紙幣が残っている集積部の数が多いときには、投出部１５を通じて返却するようにし、端数紙幣が残っている集積部の数が少ないときには、扉１０１を開けて第１〜第５集積部５１〜５５から取り出す、ようにしてもよい。
【０１５５】
尚、前記の紙幣処理装置１及び紙幣処理装置１００においては、紙幣ＢＮの搬送方向について、第１反転部２１を第２反転部２２よりも上流に配置しているが、第１反転部２１と第２反転部２２との配置を入れ替えることによって、第２反転部２２を第１反転部２１よりも上流に配置してもよい。
【０１５６】
また、前記の紙幣処理装置１及び紙幣処理装置１００においては、第２反転部２２の反転機構２２４を、紙幣ＢＮを第２軸（図２１参照）回りに回転させることによって、紙幣ＢＮの搬送幅方向の向きを反転するよう構成している。これとは異なり、第２反転部２２の反転機構２２４を、紙幣ＢＮの搬送方向に直交すると共に、紙幣ＢＮの紙面に直交する第３軸（図２１参照）回りに、紙幣ＢＮを回転させることによって、紙幣ＢＮの搬送幅方向の向きを反転するよう構成してもよい。この方式の反転機構は、紙幣ＢＮの搬送方向の向きと搬送幅方向の向きとの両方を反転することができる。つまり、紙幣ＢＮの天地方向と左右方向とが反転する。
【０１５７】
また、第１反転部２１の方式を、第３軸回りに紙幣ＢＮを回転することにより、紙幣ＢＮの搬送幅方向の向きを反転する方式に変更してもよい。
【０１５８】
尚、第３軸回りに紙幣ＢＮを回転する方式の反転部は、公知の様々な構成を採用することができる。
【０１５９】
紙幣処理装置は、紙幣ＢＮを長手の縁を前にして搬送する、いわゆる短手搬送に構成することに限らず、図２２に示すように、紙幣ＢＮを短手の縁を前にして搬送する、いわゆる長手搬送に構成することも可能である。長手搬送において第１反転部２１は、紙幣ＢＮの搬送方向に直交すると共に、紙幣ＢＮの紙面に沿った第１軸回りに、紙幣ＢＮを回転させる方式に構成してもよい。この場合、第１反転部２１は、紙幣ＢＮの表裏を反転すると共に、紙幣ＢＮの搬送方向の前端と後端とを入れ替えることができる。紙幣ＢＮは、表裏及び左右方向の向きが反転する。
【０１６０】
長手搬送において第１反転部２１は、図２２に示すように、紙幣ＢＮの搬送方向に沿って伸びる第２軸回りに、紙幣ＢＮを回転させる方式に構成してもよい。この場合、第１反転部２１は、紙幣ＢＮの表裏及び搬送幅方向の向きを反転することができる。紙幣ＢＮは、表裏及び天地方向の向きが反転する。
【０１６１】
長手搬送において第１反転部２１は、図２２に示すように、紙幣ＢＮの搬送方向に直交すると共に、紙幣ＢＮの紙面に直交する第３軸回りに、紙幣ＢＮを回転させる方式に構成してもよい。この場合、第１反転部２１は、紙幣ＢＮの搬送幅方向の向きを反転すると共に、紙幣ＢＮの搬送方向の前端と後端とを入れ替えることができる。紙幣ＢＮは、天地方向の向き及び左右方向の向きが反転する。
【０１６２】
長手搬送において第２反転部２２も、前記と同様に、紙幣ＢＮを第１軸回りに回転させる方式に構成してもよいし、第２軸回りに回転させる方式に構成してもよいし、第３軸回りに回転させる方式に構成してもよい。但し、第１反転部２１と第２反転部２２とは、その方式を互いに異ならせる。そうすることによって、長手搬送を行う紙幣処理装置において、帯封する紙幣ＢＮの表裏及び天地方向の向きを全て揃えることができるようになる。
【０１６３】
尚、前記の紙幣処理装置１及び紙幣処理装置１００は、第１反転部２１及び第２反転部２２の二種類の反転部を備えることによって、紙幣ＢＮの表裏及び天地方向の向きの両方を揃えるよう構成されている。ここに開示する技術は、一種類の反転部を備え、紙幣ＢＮの表裏のみを揃えることが可能に構成された紙幣処理装置において、反転部が紙幣の表裏を揃えて、帯封部が紙幣を帯封する第１モードと、反転部が紙幣の表裏を揃えずに（つまり、紙幣を反転せずに）、帯封部が紙幣を帯封する第２モードとを切り替えるよう構成してもよい。この構成において、反転部は、図２１又は図２２に示すように、第１軸回りに、紙幣ＢＮを回転させる方式に構成してもよいし、第２軸回りに、紙幣ＢＮを回転させる方式に構成してもよい。
【０１６４】
尚、ここに開示する技術は、紙幣の処理を行う装置に限らず、小切手や商品券等の有価媒体を含む紙葉類を処理する装置に、広く適用することが可能である。
【０１６５】
また、前述した様々な構成は、適宜、組み合わせることが可能である。
【符号の説明】
【０１６６】
１  紙幣処理装置（紙葉類処理装置）
１００  紙幣処理装置（紙葉類処理装置）
１７  表示部
１８  識別部
２１  第１反転部
２２  第２反転部
４１  制御部
５１〜５５  第１〜第５集積部
７  帯封部
７１  印刷部（印字部）
７３  押印部（印字部）
【図１】
2018190345.tif 000003
【図２】
2018190345.tif 000004
【図３】
2018190345.tif 000005
【図４】
2018190345.tif 000006
【図５】
2018190345.tif 000007
【図６】
2018190345.tif 000008
【図７】
2018190345.tif 000009
【図８】
2018190345.tif 000010
【図９】
2018190345.tif 000011
【図１０】
2018190345.tif 000012
【図１１】
2018190345.tif 000013
【図１２】
2018190345.tif 000014
【図１３】
2018190345.tif 000015
【図１４】
2018190345.tif 000016
【図１５】
2018190345.tif 000017
【図１６】
2018190345.tif 000018
【図１７】
2018190345.tif 000019
【図１８】
2018190345.tif 000020
【図１９】
2018190345.tif 000021
【図２０】
2018190345.tif 000022
【図２１】
2018190345.tif 000023
【図２２】
2018190345.tif 000024